(57)【要約】【課題】限られた容量であるポータブルライブラリに、大容量のホームライブラリから音楽コンテンツを転送する際に強いられる利用者のコンテンツ選択行為の負担を軽減する。【解決手段】ホームライブラリとしての記録装置に記録されている音楽コンテンツを再生するホームライブラリ再生手段と、ホームライブラリのコンテンツの再生状況を監視する再生状況監視手段と、再生状況を記録する再生状況記録手段と、ポータブルライブラリとしての記録装置に記録されている音楽コンテンツを再生するポータブルライブラリ再生手段と、ポータブルライブラリのコンテンツの再生状況を監視する再生状況監視手段と、再生状況を記録する再生状況記録手段と、ホームライブラリとポータブルライブラリの再生状況を合算する再生状況合算手段と、合算された再生状況に基づきホームライブラリの音楽コンテンツをポータブルライブラリに転送する転送手段を有する。【選択図】図１
2005164984.tif 000002
【特許請求の範囲】
【請求項１】
記録装置Ａに記録されているコンテンツを再生する再生手段Ａと、コンテンツの再生状況を監視する再生状況監視手段Ａと、再生状況を記録する再生状況記録手段Ａと、記録装置Ｂに記録されているコンテンツを再生する再生手段Ｂと、コンテンツの再生状況を監視する再生状況監視手段Ｂと、再生状況を記録する再生状況記録手段Ｂと、前記再生状況記録手段Ａと前記再生状況記録手段Ｂの再生状況を合算する再生状況合算手段と、合算された再生状況に基づきコンテンツを記録装置Ｂに転送する転送手段を有することを特徴とするホーム・ポータブルライブラリ同期装置。
【請求項２】
前記再生手段ＡまたはＢにおいて、利用者がコンテンツの最後まで連続して再生し終えた場合、前記再生状況記録手段ＡまたはＢにおいて、前記コンテンツに対する嗜好ポイントを増加させることを特徴とする、請求項１に記載のホーム・ポータブルライブラリ同期装置。
【請求項３】
前記再生手段ＡまたはＢにおいて、利用者が一定時間コンテンツを連続して再生した場合、前記再生状況記録手段ＡまたはＢにおいて、前記コンテンツに対する嗜好ポイントを増加させることを特徴とする、請求項１に記載のホーム・ポータブルライブラリ同期装置。
【請求項４】
前記再生手段ＡまたはＢにおいて利用者がバックスキップを行った場合、前記再生状況記録手段ＡまたはＢにおいて、前記コンテンツに対する嗜好ポイントを増加させることを特徴とする、請求項１に記載のホーム・ポータブルライブラリ同期装置。
【請求項５】
前記再生手段ＡまたはＢにおいて利用者がフォワードスキップを行った場合、前記再生状況記録手段ＡまたはＢにおいて、前記コンテンツに対する嗜好ポイントを減少させることを特徴とする、請求項１に記載のホーム・ポータブルライブラリ同期装置。
【請求項６】
利用者がコンテンツの再生状況による嗜好ポイントを操作する操作手段をさらに備え、ポイント増を選択した場合、前記コンテンツに対する嗜好ポイントを増加させることを特徴とする、請求項１に記載のホーム・ポータブルライブラリ同期装置。
【請求項７】
利用者が前記操作手段において、ポイント減を選択した場合、前記コンテンツに対する嗜好ポイントを減少させることを特徴とする、請求項６に記載のホーム・ポータブルライブラリ同期装置。
【請求項８】
記録装置Ａに記録されているコンテンツを再生する再生ステップＡと、コンテンツの再生状況を監視する再生状況監視ステップＡと、再生状況を記録する再生状況記録ステップＡと、記録装置Ｂに記録されているコンテンツを再生する再生ステップＢと、コンテンツの再生状況を監視する再生状況監視ステップＢと、再生状況を記録する再生状況記録ステップＢと、前記記録装置Ａと前記記録装置Ｂの再生状況を合算する再生状況合算ステップと、合算された再生状況に基づき前記記録装置Ａのコンテンツを前記記録装置Ｂに転送する転送ステップとを有することを特徴とするホーム・ポータブルライブラリ同期方法。
【請求項９】
利用者がコンテンツの最後まで連続して再生し終えた場合、前記再生状況記録ステップＡまたはＢにおいて、前記コンテンツに対する嗜好ポイントを増加させることを特徴とする、請求項８に記載のホーム・ポータブルライブラリ同期方法。
【請求項１０】
利用者が一定時間コンテンツを連続して再生した場合、前記再生状況記録ステップＡまたはＢにおいて、前記コンテンツに対する嗜好ポイントを増加させることを特徴とする、請求項８に記載のホーム・ポータブルライブラリ同期方法。
【請求項１１】
利用者がバックスキップを行った場合、前記再生状況記録ステップＡまたはＢにおいて、前記コンテンツに対する嗜好ポイントを増加させることを特徴とする、請求項８に記載のホーム・ポータブルライブラリ同期方法。
【請求項１２】
利用者がフォワードスキップを行った場合、前記再生状況記録ステップＡまたはＢにおいて、前記コンテンツに対する嗜好ポイントを減少させることを特徴とする、請求項８に記載のホーム・ポータブルライブラリ同期方法。
【請求項１３】
利用者が前記コンテンツの再生状況による嗜好ポイントを操作する操作ステップをさらに備え、ポイント増を選択した場合、前記コンテンツに対する嗜好ポイントを増加させることを特徴とする、請求項８に記載のホーム・ポータブルライブラリ同期方法。
【請求項１４】
利用者が前記操作ステップにおいて、ポイント減を選択した場合、前記コンテンツに対する嗜好ポイントを減少させることを特徴とする、請求項１３に記載のホーム・ポータブルライブラリ同期方法。
【請求項１５】
請求項８から請求項１４に記載の同期方法をコンピュータに動作させるためのプログラム。
【請求項１６】
請求項１５に記載のプログラムを記録したコンピュータ読み取り可能な記録媒体。
【発明の詳細な説明】
【技術分野】
【０００１】
本発明は、利用者のコンテンツ再生嗜好を利用・反映することで小容量のポータブルライブラリへの転送に効率的な手段を提供するものである。
【背景技術】
【０００２】
ＰＣを用いた音楽再生や、ハードディスクやフラッシュメモリーなどの大容量記録媒体を利用したオーディオデバイスの登場で音楽のリスニングスタイルが変わりつつある。ポータブルハードディスクオーディオデバイスでは記録容量が大きいため、利用者の所有する音楽ライブラリのほぼ全てを持ち出すことが可能である。一方ポータブルフラッシュメモリーオーディオデバイスでは、その記憶容量は現在のところ十分な容量はないため、利用者の所有する音楽ライブラリの一部を持ち出せるにとどまっている（例えば特許文献１参照。）。
【０００３】
何れの場合も膨大なライブラリから『コンテンツの選択をする』という動作が必要になるが、ライブラリに収められるコンテンツ数の増加と共に利用者はポータブルデバイスに転送するコンテンツを選択する行為が困難となりつつある。
【０００４】
また膨大なライブラリの中には利用者の好んで聞くコンテンツとそうでないコンテンツが現れてくる。この場合、好んで聞くコンテンツは繰り返し何度も聞くし、そうでないコンテンツは全く聞かれることがない。またこのようなコンテンツライブラリを再生できる既存のプレーヤでは、ライブラリ内のコンテンツの再生回数を反映することはできるものの、これだけではユーザの嗜好を完全に反映していることにはならない。さらに、特許文献１において、利用者の使用履歴を好み情報として記録し、機器間で好み情報の授受はできるものの、利用者の好みに従ってライブラリ内のコンテンツを選択し、オーディオデバイスにコピーするといった利用者の『コンテンツの選択』時の負担を解決するには至っていない。
【特許文献１】特開２００１−３４６１４０号公報
【発明の開示】
【発明が解決しようとする課題】
【０００５】
限られた容量であるポータブルライブラリに、大容量のホームライブラリから音楽コンテンツを転送する際に、利用者はコンテンツ選択、及び、または転送行為を強いられる。
【課題を解決するための手段】
【０００６】
ホーム・ポータブルライブラリ双方での利用者の音楽再生嗜好を反映・統合することで小容量のポータブル機器への転送に効率的な手段を提供することを最も主要な特徴とする。
【発明の効果】
【０００７】
ホームライブラリの再生回数、利用者の音楽再生時の再生操作、嗜好等を反映することで利用者の嗜好をより忠実に反映した音楽ライブラリの再生状況データベースを構築するだけでなく、前記同様に、ポータブルライブラリでの再生嗜好全般を反映する手法により、ホームライブラリからポータブルライブラリへコンテンツを転送する際に、利用者の嗜好を判別することで利用者のコンテンツ選択行為の作業量の軽減を実現する。
【発明を実施するための最良の形態】
【０００８】
図１から図３を用いて、本発明の実施の形態について述べる。図１は本発明方法の実施の形態を示す。図１においてホームライブラリ１０の再生操作を行う手段１１による操作状況を監視する手段１２の結果を記録する手段１３を用いてホームライブラリ内の各コンテンツに対する再生状況を再生状況データベース１４に記録する。ポータブルライブラリ２０の再生操作を行う手段２１による操作状況を監視する手段２２の結果を記録する手段２３を用いてポータブルライブラリ内の各コンテンツに対する再生状況を再生状況データベース２４に記録する。データベース１４と２４に記録されている各音楽コンテンツ毎の再生状況の差分を検出する手段３０から、共通する各音楽コンテンツの再生状況を統合する手段３１による結果を更新する手段３２によってデータベース１４と２４の再生状況の更新を行うことで、ライブラリ１０及び２０の利用者の嗜好を常に反映した再生状況記録部を作成する。
【０００９】
図１においてライブラリ２０の登録データの内、低い嗜好のものを不要なデータとして抽出する手段２５で抽出されたデータをライブラリ２０から削除する手段２６によりライブラリ２０内にできた新たな空き容量を算出する手段２７に対して、ライブラリ１０の登録データの内高い嗜好のものを必要なデータである転送候補として抽出する手段１５によりライブラリ２０の空き容量を十分満たすデータを決定する手段４０によって常にライブラリ２０に高い嗜好のデータを転送する。
【００１０】
例えば、ホームライブラリにおいて音楽再生をした場合、図２に示すように利用者がボタン操作をすることなくある一定時間もしくは曲のある割合以上を連続して再生した場合、もしくは曲の最後まで再生した場合は、その曲の嗜好ポイントを例えば１増加させる。もしくは再生中に利用者がＲ−Ｓｋｉｐした場合、その曲の嗜好ポイントを１増加させる。もしくは再生中に利用者がＦ−Ｓｋｉｐした場合、その曲の嗜好ポイントを１減少させる。もしくは再生中に利用者が嗜好ポイントを１増加させるボタンを操作した場合、その曲の増加ポイントを１増加させる。もしくは再生中に利用者が嗜好ポイントを１減少させるボタンを操作した場合、その曲の嗜好ポイントを１減少させる。こうして得られた曲の嗜好ポイントをホームライブラリの音楽プレーヤで管理しているデータベースに反映させる。ポータブルライブラリにおいても同様にして曲の嗜好ポイントを再生状況によりデータベースに反映させる。
【００１１】
ホームライブラリからポータブルライブラリに曲をコピーするとき、ホームライブラリの音楽プレーヤは図３に示すように、ホーム・ポータブルライブラリの嗜好ポイントを同期し、ポータブルライブラリの空き容量を埋め尽くすまで嗜好ポイントの高い順に曲を転送する。この実施方法により利用者はただ音楽コンテンツの再生操作をするだけで、そのコンテンツに対する嗜好を貯めることができ、ホームライブラリとポータブルライブラリを同期させるだけで、嗜好性の高いコンテンツをポータブルライブラリで持ち運ぶことができる。
【００１２】
なお、本発明を実施するにあたっては、音楽コンテンツに限らず、音声、映像、画像のコンテンツにも言及される。
【産業上の利用可能性】
【００１３】
本発明は、利用者のコンテンツ再生嗜好を利用・反映することで小容量のポータブルライブラリへの転送に効率的な手段を提供する用途にも適用できる。
【図面の簡単な説明】
【００１４】
【図１】本発明の実施方法を示した説明図
【図２】本発明の嗜好ポイントの取得方法を示した説明図
【図３】本発明の嗜好ポイントの同期方法を示した説明図
【符号の説明】
【００１５】
１０    ホームライブラリ
１１，２１    再生操作手段
１２，２２    再生操作監視手段
１３，２３    再生状況記録手段
１４，２４    再生状況データベース
１０    ポータブルライブラリ
２５    不要データ抽出手段
２６    不要データ削除手段
２７    空き容量算出手段
３０    登録データ差分検出手段
３１    再生状況統合手段
３２    再生状況更新手段
４０    転送データ決定手段
【図１】
2005164984.tif 000003
【図２】
2005164984.tif 000004
【図３】
2005164984.tif 000005